(57)【要約】      （修正有）【課題】簡易な構成で簡易に製造でき且つ簡易に使用できる展示・観賞に供し得る吊下げ用アクセサリー、さらにキーホルダー又はストラップに転用できる吊下げ用アクセサリーを提供する。【解決手段】挿通部９が設けられたアクセサリー本体プレート２と、通孔部６が形成されたベースプレート３と、挿通部９及び通孔部６を連通してアクセサリー本体プレート２及びベースプレート３を連結する吊下げ用チェーン４とを備え、アクセサリー本体プレート２が嵌合部７を備え、ベースプレート３は、嵌合部７が着脱可能に嵌合することによりベースプレート３上にアクセサリー本体プレート２を立設するための被嵌合部８と、ベースプレート３の側端部側と裏面側に開口されて形成された凹所６ａと、を備え、凹所６ａは、通孔部６が開口し、ベースプレート３を載置面１２上に載置した際に通孔部６を挿通した吊下げ用チェーン４を載置面１２との間に収容可能に形成されている。【選択図】図７
0003208905.tif 000002
【実用新案登録請求の範囲】
【請求項１】
挿通部を備えるアクセサリー本体プレートと、通孔部が形成されたベースプレートと、前記挿通部及び前記通孔部を連通して前記アクセサリー本体プレート及び前記ベースプレートを連結する吊下げ用チェーンと、を備える吊下げ用アクセサリーであって、
前記アクセサリー本体プレートが嵌合部を備え、
前記ベースプレートは、前記嵌合部が着脱可能に嵌合することにより前記ベースプレート上に前記アクセサリー本体プレートを立設するための被嵌合部と、前記ベースプレートの側端部側と裏面側に開口されて形成された凹所と、を備え、
前記凹所は、前記通孔部が開口するとともに、前記ベースプレートを載置面上に載置した際に前記通孔部を挿通した前記吊下げ用チェーンを前記載置面との間に収容可能に形成されていることを特徴とする、前記吊下げ用アクセサリー。
【請求項２】
前記嵌合部及び前記被嵌合部は、遊嵌状に嵌合することにより、前記アクセサリー本体プレートを前記ベースプレートに対して傾斜状に立設するように形成されていることを特徴とする請求項１記載の吊下げ用アクセサリー。
【考案の詳細な説明】
【技術分野】
【０００１】
本考案は、キャラクター、動物、星型、建造物等のアクセサリーを起立状態で保持することが可能であり、自宅や職場等では、アクセサリーを起立状態で展示し観賞できると共に、外出して持ち歩いて使用することが可能なキーホルダー又はストラップに転用できる吊下げ用アクセサリー関するものである。
【背景技術】
【０００２】
特許文献１は、写真、ワッペン、絵画等の表示紙片を透視可能に収納できる一方、外出して持ち歩いたりして使用する場合にはキーホルダーとなるとともに、自宅や職場等の室内においては表示紙片を収納可能な額縁とすることが可能なキーホルダーが開示されている。この発明はキーホルダー主体の凹所と蓋片の前面とによって、表示紙片を挟持させた状態にして凹所に収納し、蓋片によって形成された起立用脚片により、斜め後方に傾斜した状態で起立姿勢を保持し、表示紙片を収納する額縁となし、外部から表示紙片を透視することができるというものである。
【０００３】
特許文献２は、キャラクター形状の外観を阻害しないようにその形状に沿って抜き出した金属製板材にキャラクターの正面及び裏面の図柄を対応させて表示した金属板製キャラクターアクセサリー本体を有するストラップ又はキーホルダーが開示されている。この中では、ネオジム系磁石による小型軽量なマグネット部材を利用してキャラクターアクセサリー本体を鉄板製のスタンド台座に立たせた状態で保持する発明が開示されている。
【先行技術文献】
【特許文献】
【０００４】
【特許文献１】特許第２９１２２８８号
【特許文献２】特開２００７−２８９５８９号
【考案の概要】
【考案が解決しようとする課題】
【０００５】
しかしながら、特許文献１は、キーホルダー主体の凹所と蓋片の前面とによって、表示紙片を挟持させるため、キーホルダーを構成する部材が多く、使用方法も複雑になるという問題があった。また、特許文献２は、ネオジム系磁石による小型軽量なマグネット部材を使用するため、素材が制限されるため、製造方法等も制限されることになるという問題があった。
【０００６】
本考案は、以上の点に鑑みてなされたものであり、簡易な構成で簡易に製造でき且つ簡易に使用できる展示・観賞に供する吊下げ用アクセサリー、さらにキーホルダー又はストラップに転用できる吊下げ用アクセサリーを提供することを目的とするものである。
【課題を解決するための手段】
【０００７】
本考案に係る吊下げ用アクセサリーの第１の態様は、挿通部を備えるアクセサリー本体プレートと、通孔部が形成されたベースプレートと、前記挿通部及び前記通孔部を連通して前記アクセサリー本体プレート及び前記ベースプレートを連結する吊下げ用チェーンと、を備える吊下げ用アクセサリーであって、前記アクセサリー本体プレートが嵌合部を備え、前記ベースプレートは、前記嵌合部が着脱可能に嵌合することにより前記ベースプレート上に前記アクセサリー本体プレートを立設するための被嵌合部と、前記ベースプレートの側端部側と裏面側に開口されて形成された凹所と、を備え、前記凹所は、前記通孔部が開口するとともに、前記ベースプレートを載置面上に載置した際に前記通孔部を挿通した前記吊下げ用チェーンを前記載置面との間に収容可能に形成されていることを特徴とする。
【０００８】
また、本考案に係る吊下げ用アクセサリーの第２の態様は、上記第１の態様において、前記嵌合部及び前記被嵌合部は、遊嵌状に嵌合することにより、前記アクセサリー本体プレートを前記ベースプレートに対して傾斜状に立設するように形成されていることを特徴とする。
【考案の効果】
【０００９】
本考案に基づく吊下げ用アクセサリーは、アクセサリー本体プレートの嵌合部をベースプレートの被嵌合部に嵌合させることにより、アクセサリー本体プレートをベースプレート上に立設させることができるので、簡易な構成で簡易に製造でき且つ簡易に使用、すなわちアクセサリー本体プレートを起立状態で展示し観賞することができる。
【００１０】
また、前記ベースプレートの側端部側と裏面側に開口されて形成された凹所は、前記通孔部が開口するとともに、前記ベースプレートを載置面上に載置した際に前記通孔部を挿通した前記吊下げ用チェーンを前記載置面との間に収容可能に形成されているので、載置面上でアクセサリー本体プレートをベースプレート上に立設させて、アクセサリー本体プレートの起立状態を安定的に保持した状態で展示し観賞することができる。
【００１１】
また、前記嵌合部及び前記被嵌合部は、遊嵌状に嵌合することにより、前記アクセサリー本体プレートを前記ベースプレートに対して傾斜状に立設するように形成されているのでアクセサリー本体プレートを観賞し易い角度で起立状態を保持した状態で展示し観賞することができる。
【図面の簡単な説明】
【００１２】
【図１】本考案の吊下げ用アクセサリーの実施形態を示す斜視図である。
【図２】本考案の吊下げ用アクセサリーのアクセサリー本体プレートを示す斜視図である。
【図３】本考案の吊下げ用アクセサリーのベースプレート表面を示す斜視図である。
【図４】本考案の吊下げ用アクセサリーのベースプレート裏面を示す斜視図である。
【図５】本考案の吊下げ用アクセサリーのベースプレートの凹所を示す説明図である。
【図６】本考案の吊下げ用アクセサリーのアクセサリー本体プレートとベースプレートとの嵌合状態を示す斜視図である。
【図７】本考案の吊下げ用アクセサリーのアクセサリー本体プレートとベースプレートとの嵌合状態を示す部分断面側面図である。
【図８】本考案の吊下げ用アクセサリーを転用したキーホルダーの斜視図である。
【図９】本考案の吊下げ用アクセサリーを転用したストラップの斜視図である。
【考案を実施するための形態】
【００１３】
本考案の吊下げ用アクセサリーの一例を図面を参照しつつ説明する。図１乃至図５に示されるようにこの吊下げ用アクセサリー１は、アクセサリー本体プレート２とベースプレート３と吊下げ用チェーン４とを備えている。アクセサリー本体プレート２の挿通部としての小リング９と、ベースプレート３の通孔部としての第２通孔６とが吊下げ用チェーン４により挿通されることにより、アクセサリー本体プレート２とベースプレート３とが連結される。小リング９は、アクセサリー本体プレート２に形成された第１通孔５に連結されている。
【００１４】
アクセサリー本体プレート２は嵌合部としての凸片７を備え、ベースプレート３は凸片７が着脱可能に嵌合することによりベースプレート３上にアクセサリー本体プレート２を立設するための被嵌合部としての凹溝８を備えている。アクセサリー本体プレート２の凸片７をベースプレート３の凹溝８に嵌合させることにより、アクセサリー本体プレート２をベースプレート３上に立設させることができる。また、後述するように、載置面１２上に載置されたベースプレート３上にアクセサリー本体プレート２を立設させる場合、第２通孔６を挿通した吊下げ用チェーン４を凹所６ａ内に収めることにより、吊下げ用チェーン４をベースプレート３と載置面１２との間に収容可能とすることができる。
【００１５】
まず、アクセサリー本体プレート２を中心に説明する。
【００１６】
図１、図２及び図３に示されるようにアクセサリー本体プレート２は、ベースプレート３に着脱自在に嵌合可能な嵌合部としての断面矩形状の凸片７と、吊下げ用チェーン４を挿通するための小リング９を備え、小リング９は第１通孔５に連結されている。
【００１７】
そして、アクセサリー本体プレート２下部に形成された断面矩形状の凸片７をベースプレート３中央部に形成された断面矩形状の凹溝８に嵌合させることにより、アクセサリー本体プレート２をベースプレート３上に立設させることができる。これにより、アクセサリー本体プレート２を起立状態で展示し観賞することができる。
【００１８】
以下、図６及び図７に示されるアクセサリー本体プレート２とベースプレート３との嵌合状態について説明する。
【００１９】
凸片７と凹溝８とは遊嵌状に嵌合できるような形状・寸法に調整され形成されている。すなわち、凸片７と凹溝８とは互いに遊びをもった状態で相互にその位置をずらせて嵌合できるように、凸片７と凹溝８とは略同一の断面形状で且つ、凸片７の断面寸法を凹溝８の断面寸法よりもやや小さく、さらに嵌合状態でアクセサリー本体プレート２をベースプレート３に対して傾斜状に立設するよう、凸片７及び凹溝８の各部寸法、形状等が調整され形成されている。
【００２０】
凸片７と凹溝８とを嵌合する場合、アクセサリー本体プレート２の凸片７をベースプレート３の凹溝８に差し込み、その位置をずらせて凹溝８の内側面に凸片７の外縁部を当接することによりアクセサリー本体プレート２をベースプレート３に嵌合する。これにより、アクセサリー本体プレート２をベースプレート３に対して傾斜状に立設するよう形成することができる。
【００２１】
すなわち、アクセサリー本体プレート２の装飾が施された表面２１が後方に傾斜した状態で展示し観賞できるように凸片７と凹溝８とを嵌合することができる。これにより、アクセサリー本体プレート２の装飾が施された表面２１を観賞し易い角度に保持できる。すなわち、アクセサリー本体プレート２を観賞し易い角度で起立状態を保持した状態で展示し観賞することができる。
【００２２】
凸片７及び凹溝８は断面矩形状に限定されるものではなく、断面円形状等を採用することもできる。また、一対に限られず複数対のものを採用することもできる。さらに、凹溝８は貫通溝を採用することもできる。
【００２３】
また、ここでは、凸片７と凹溝８とは互いに遊びをもった状態で相互にその位置をずらせて嵌合できるように、凸片７及び凹溝８の各部寸法、形状等が調整され形成されているが、凸片７と凹溝８との各部寸法、形状等を略同一として、凸片７と凹溝８とが遊びのない状態で嵌合できるように調整し形成し、アクセサリー本体プレート２をベースプレート３に対して垂直に立設するよう形成することもできる。この場合においても、アクセサリー本体プレート２を起立状態で展示し観賞することができる。
【００２４】
また、アクセサリー本体プレート２は、その上端部に形成された第１通孔５に連結された小リング９に吊下げ用チェーン４が挿通され、さらに、ベースプレート３の第２通孔６に吊下げ用チェーン４が挿通されることにより、アクセサリー本体プレート２とベースプレート３とが連結される。
【００２５】
アクセサリー本体プレート２は、ここでは金属製であるが、これに限定されるものではなく、樹脂製等も採用することができる。アクセサリー本体プレート２の全体形状は、特に限定されるものではなく、図１及び図２に示されるようにキャラクター、動物、マンガの主人公、星型、建造物等種々の形状を採用することができる。ここでは、アクセサリー本体プレート２の装飾が施された表面２１にはキャラクター図柄が表されており、裏面は無柄であるが、これに限定されるものではない。
【００２６】
次に、ベースプレート３を中心に説明する。図１乃至図５に示されるようにベースプレート３は、アクセサリー本体プレート２を着脱自在に嵌合可能な被嵌合部としての断面矩形状の凹溝８と、吊下げ用チェーン４を挿通可能な第２通孔６が形成されている。さらに、ベースプレート３を載置面１２上に載置した際に第２通孔６を挿通した吊下げ用チェーン４を載置面１２との間に収容可能とする溝状の凹所６ａが形成されている。
【００２７】
図４に示されるように、溝状の凹所６ａは第２通孔６が開口して、第２通孔６の孔径と略同一幅に連設形成され、ベースプレート３の側端部側、すなわち図４における上側端部側と、ベースプレート３裏面側とに開口されて形成されている。言い換えれば、ベースプレート３における凹所６ａが形成された部分は薄肉部を形成している。
【００２８】
ここで、載置面１２上に載置されたベースプレート３にアクセサリー本体プレート２を嵌合する場合、アクセサリー本体プレート２上部から連続した吊下げ用チェーン４は、第２通孔６を挿通し、その連続部分は溝状の凹所６ａを通過して、さらに載置面１２上を通過して、アクセサリー本体プレート２上部へと向かうよう形成されている。
【００２９】
この場合、溝状の凹所６ａは、ベースプレート３裏面側において、第２通孔６を挿通した吊下げ用チェーン４の連続部分、すなわち、溝状の凹所６ａを通過する連続部分を載置面１２との間に収容可能とするものである。
【００３０】
凹所６ａは、第２通孔６の孔径と略同一幅の溝状として形成しているが、これに限定されるものではなく、例えば、第２通孔６の孔径よりも大きい幅のもの又は小さい幅のものを採用することもでき、また、溝状に限らず、凹所６ａによって形成される薄肉部の断面形状が矩形となるように段部によって凹所６ａを形成することもできる。
【００３１】
また、図５に示される例では凹所６ａの深さ方向の寸法ｄ１を吊下げ用チェーン４の断面最大寸法ｄ２に比べてやや大きく調整し形成しているが、ｄ１≧ｄ２であればよい。したがって、吊下げ用アクセサリー１のベースプレート３を載置面１２上に載置した場合に、第２通孔６を挿通した吊下げ用チェーン４が凹所６ａの外側（裏面側）にはみ出すことなく凹所６ａの内部に収められる。
【００３２】
そうすると載置面１２とベースプレート３との間に隙間をなくすことができ、ベースプレート３を載置面１２上に載置した状態で、アクセサリー本体プレート２をベースプレート３上に立設させた場合に、アクセサリー本体プレート２の起立状態を安定的に保持した状態で展示し観賞することができる。
【００３３】
ベースプレート３は、ここでは金属製であるが、これに限定されるものではなく、樹脂製等も採用することができる。ベースプレート３の全体形状は、特に限定されず、キャラクター、動物、マンガの主人公、星型等種々の形状を採用することができる。
【００３４】
次に、吊下げ用チェーン４について説明する。
【００３５】
吊下げ用チェーン４は、アクセサリー本体プレート２とベースプレート３とを連結する閉じられたチェーンである。すなわち、アクセサリー本体プレート２の挿通部としての第１通孔５に連結された小リング９とベースプレート３の通孔部としての第２通孔６とに挿通されることにより、アクセサリー本体プレート２とベースプレート３とが連結されるものである。ここでは、小リング９を使用しているが、これに限定されるものではなく、アクセサリー本体プレート２の第１通孔５とベースプレート３の第２通孔６を直接吊下げ用チェーン４で連結するものであってもよい。
【００３６】
また、アクセサリー本体プレート２をベースプレート３上に立設させるものであるため、アクセサリー本体プレート２の長手方向の長さの約３倍の長さを有する閉じられたチェーンを採用している。
【００３７】
吊下げ用チェーン４は、ここでは多数の小球体が接続されたものであるが、これに限定されるものではなく、多数の細かい小リング体が接続されたもの又は紐状のものを採用することもできる。材質も特に限定するものではない。長さは、アクセサリー本体プレート２をベースプレート３上に立設させることができ、且つアクセサリー本体プレート２とベースプレート３とが連結できる長さが必要とされる。
【００３８】
次に、上述した吊下げ用アクセサリー１の使用方法について説明する。図６及び図７に示されるように、自宅や職場の机上等の載置面１２上に吊下げ用アクセサリー１のベースプレート３を載置し、アクセサリー本体プレート２の凸片７をベースプレート３の凹溝８に嵌合させることにより、アクセサリー本体プレート２をベースプレート３上に立設させる。その際、第２通孔６を挿通した吊下げ用チェーン４の連続部分を凹所６ａ内に収めることにより、吊下げ用チェーン４をベースプレート３と載置面１２との間に収容する。これにより、アクセサリー本体プレート２の起立状態を安定的に保持した状態で展示し観賞することができる。
【００３９】
さらに、アクセサリー本体プレート２をベースプレート３に対して傾斜状に立設させることにより、観賞し易い位置に保持した状態で展示し観賞することができる。
【００４０】
また、吊下げ用アクセサリー１は外出して持ち歩いて使用することができる。図８に示されるように、アクセサリー本体プレート２の上端部に形成された第１通孔５に連結された小リング９に吊下げ用チェーン４を挿通し、さらに、ベースプレート３の第２通孔６に吊下げ用チェーン４を挿通することにより連結されたアクセサリー本体プレート２とベースプレート３、すなわち、吊下げ用アクセサリー１をその端部の小リング９を介してホルダー部１０に接続し、キーホルダーとして使用することができる。キーホルダーとして、適宜、外出して持ち歩いて使用することもできる。また、図９に示されるように、ホルダー部１０をストラップ部１１に置き換えることにより、携帯電話機用等のストラップとして使用することができる。
【符号の説明】
【００４１】
１  吊下げ用アクセサリー
２  アクセサリー本体プレート
３  ベースプレート
４  吊下げ用チェーン
５  第１通孔
６  第２通孔（通孔部）
６ａ  凹所
７  凸片（嵌合部）
８  凹溝（被嵌合部）
９  小リング（挿通部）
１０  ホルダー部
１１  ストラップ部
１２  載置面
２１  アクセサリー本体プレートの装飾が施された表面
【図１】
0003208905.tif 000003
【図２】
0003208905.tif 000004
【図３】
0003208905.tif 000005
【図４】
0003208905.tif 000006
【図５】
0003208905.tif 000007
【図６】
0003208905.tif 000008
【図７】
0003208905.tif 000009
【図８】
0003208905.tif 000010
【図９】
0003208905.tif 000011